(57)【要約】【課題】  簡易な構造で、確実に開栓履歴を判別でき、しかも、開栓作業を容易にするキャップのタンパーエビデンス構造を提供する。【解決手段】  キャップ本体２の外周面に第１弱化線３１、３１を介して接続された第１小切片３０と、蓋体３の外周面に第２弱化線３６を介して接続された第２小切片３５とを、離脱不可能に接合して開栓履歴確認用の小切片３７を設けており、キャップ１を最初に開栓する時には、この小切片３７を、第１弱化線３１及び第２弱化線３６に沿って切り取り除去すれば、蓋体３を開くことができ、一度開栓された後は、この小切片３７が切り取られているか否かを視認することによって、開栓履歴を判別することが可能となる。【選択図】        図５
2006131239.tif 000002
【特許請求の範囲】
【請求項１】
容器の口部に装着される略円筒状のキャップ本体と、該キャップ本体に冠着される蓋体とからなるキャップにおいて、
前記キャップ本体には、その外周面に容易に切断可能な第１弱化線で接続された第１被切断突起が設けられ、また、前記蓋体には、その外周面に容易に切断可能な第２弱化線で接続された第２被切断突起が設けられ、これら前記第１被切断突起と前記第２被切断突起とは、前記蓋体が前記キャップ本体に冠着された状態で、重なり合う位置関係であると共に、前記両突起を離脱不可能に接合して、開栓履歴確認用の確認突起として構成することを特徴とするキャップのタンパーエビデンス構造。
【請求項２】
前記両突起は、接着材による接着、または溶融接着で接合されることを特徴とする請求項１に記載のキャップのタンパーエビデンス構造。
【請求項３】
前記両突起のそれぞれに接合手段を設け、前記両突起は、前記それぞれの接合手段により接合されることを特徴とする請求項１に記載のキャップのタンパーエビデンス構造。
【請求項４】
前記第１弱化線及び前記第２弱化線は、前記第１被切断突起と前記第２被切断突起とが接合され前記確認突起して構成された際、上面視において互いに重ならない位置に配置されることを特徴とする請求項１〜３のいずれかに記載のキャップのタンパーエビデンス構造。
【発明の詳細な説明】
【技術分野】
【０００１】
本発明は、容器の口部に装着されているキャップ本体と、このキャップ本体に冠着される蓋体とからなるキャップにおいて、蓋体を一度開けたら、この開栓状態を示す痕跡、すなわち開栓履歴を明確に判別できるようにした合成樹脂製からなるキャップのタンパーエビデンス構造に関するものである。
【背景技術】
【０００２】
従来から、容器の口部に装着されるキャップには、一度開栓されたら、その開栓状態を示す痕跡を残すようにした種々のタンパーエビデンス構造が採用されている。
そこで、特許文献１には、次のようなキャップのタンパーエビデンス構造が開示されている。すなわち、容器口に装着されるキャップ本体と該キャップ本体にヒンジ連結された上蓋とからなるキャップにおいて、上蓋にタンパーエビデントバンドが設けられ、このタンパーエビデントバンドは、キャップ本体のスカート壁の外周面に沿うように幅方向に湾曲した板状を呈しており、その基端部が破断可能な弱化部を介して上蓋の指掛け片の下面に突出形成されている。また、このタンパーエビデントバンドの下端には、内側に折り曲げ可能な薄いフラップが設けられ、このフラップを、キャップ本体のスカート壁に下端に設けられた切欠け部に挿入して係止させるようにしており、タンパーエビデントバンドを切り取らないと上蓋を開栓できない構成で、このタンパーエビデントバンドの破断状況を視認することにより、開栓履歴を判別することが可能となっている。
【０００３】
【特許文献１】特開２００４−８３０７８号公報
【発明の開示】
【発明が解決しようとする課題】
【０００４】
上述した特許文献１の発明では、タンパーエビデントバンドを弱化部に沿って切断して開栓し、このタンパーエビデントバンドの破断状況によって開栓履歴を判別できるが、このタンパーエビデントバンドの下端のフラップは、キャップ本体のスカート壁の切欠け部から容易に抜けないように構成されているため、開栓時には、まず、弱化部を破断しして、タンパーエビデントバンドを切欠け部から下方に垂れ下がる状態にして、次に、タンパーエビデントバンドを大きい力で下方に引いて、フラップを切欠け部から引き抜くかあるいは折り曲げ部を切断して、キャップ本体から除去しなければならず、開栓作業を煩雑化させている。
【０００５】
本発明は、かかる点に鑑みてなされたものであり、簡易な構造で、確実に開栓履歴を判別でき、しかも、開栓作業を容易にするキャップのタンパーエビデンス構造を提供することを目的とする。
【課題を解決するための手段】
【０００６】
本発明は、上記課題を解決するための手段として、請求項１に記載した発明は、容器の口部に装着される略円筒状のキャップ本体と、該キャップ本体に冠着される蓋体とからなるキャップにおいて、前記キャップ本体には、その外周面に容易に切断可能な第１弱化線で接続された第１被切断突起が設けられ、また、前記蓋体には、その外周面に容易に切断可能な第２弱化線で接続された第２被切断突起が設けられ、これら前記第１被切断突起と前記第２被切断突起とは、前記蓋体が前記キャップ本体に冠着された状態で、重なり合う位置関係であると共に、前記両突起を離脱不可能に接合して、開栓履歴確認用の確認突起として構成することを特徴とするものである。
このように構成することにより、最初に開栓する時には、第１被切断突起及び第２被切断突起を離脱不可能に接合して構成された開栓履歴確認用の確認突起を、第１弱化線及び第２弱化線に沿って切断すれば、簡単に開栓されて、さらに、確認突起の破断状況を視認することで、開栓履歴が容易に判別される。
【０００７】
請求項２に記載した発明は、請求項１に記載した発明において、前記両突起は、接着材による接着、または溶融接着で接合されることを特徴とするものである。
このように構成することにより、第１被切断突起と第２被切断突起との接合に対する信頼性が向上される。
【０００８】
請求項３に記載した発明は、請求項１に記載した発明において、前記両突起のそれぞれに接合手段を設け、前記両突起は、前記それぞれの接合手段により接合されることを特徴とするものである。
このように構成することにより、第１被切断突起と第２被切断突起とを接合する接合作業が簡易化される。
【０００９】
請求項４に記載した発明は、請求項１〜３のいずれかに記載した発明において、前記第１弱化線及び前記第２弱化線は、前記第１被切断突起と前記第２被切断突起とが接合され前記確認突起して構成された際、上面視において互いに重ならない位置に配置されることを特徴とするものである。
このように構成することにより、第１弱化線または第２弱化線のいずれかだけが切断され開栓されており、外観上、あたかも未開封であるかのような状態が発生した場合、破断されていない第１弱化線または第２弱化線の位置を視認すれば、簡単に開栓履歴を判別できる。また、目視せず、確認突起を破断した場合でも、その切断抵抗が確認突起に沿って一定ではないため、簡単に開栓履歴を判別できる。
【発明の効果】
【００１０】
本発明の請求項１に記載した発明によれば、最初に開栓する時には、キャップの外周面から突設された開栓履歴確認用の確認突起を摘み、この確認突起を第１弱化線及び第２弱化線に沿って周方向に引っ張って切り取れば、簡単に開栓できるので、開栓作業が容易で、開栓後は、通常通りの使用が可能となる。また、確認突起の破断状況を視認することにより、確実に開栓履歴を判別することができる。
【００１１】
請求項２に記載した発明によれば、第１被切断突起と第２被切断突起とは、接着材による接着、または溶融接着例えば超音波接着等で接合されているので、第１被切断突起と第２被切断突起との接合に対する信頼性が向上する。
【００１２】
請求項３に記載した発明によれば、第１被切断突起及び第２被切断突起のそれぞれに接合手段を設け、第１被切断突起及び第２被切断突起は、それぞれの接合手段により接合されるので、接合のための作業が追加されることなく、接合作業が簡易化され、作業効率が向上される。
【００１３】
請求項４に記載した発明によれば、第１弱化線または第２弱化線のいずれかが切断され開栓されており、外観上、あたかも未開封であるかのような状態が発生した場合でも、破断されていない第１弱化線または第２弱化線の位置を視認すれば、簡単に開栓履歴を判別でき、目視せず、確認突起を破断した場合でも、その切断抵抗が確認突起に沿って一定ではないため、簡単に開栓履歴を判別でき、このような例外的な状況が発生した場合においても、確実に開栓履歴を判別することができ、有用である。
【発明を実施するための最良の形態】
【００１４】
以下、本発明を実施するための最良の形態を図１〜図７に基いて詳細に説明する。
本発明の実施の形態に係るキャップ１は、図１〜図３に示すように、容器５の口部６に装着されたキャップ本体２と、該キャップ本体２に冠着される蓋体３とから構成され、キャップ本体２と蓋体３とは、ヒンジ部４を介して連結されている。このキャップ１は、合成樹脂製で形成されている。なお、キャップ本体２と蓋体３とは、それぞれ別体に構成されたツーピーススクリューキャップで構成されても良い。
【００１５】
図２に示すように、キャップ本体２の胴部９は、外側胴部７と内側胴部８とから構成されており、これら外側胴部７と内側胴部８の間には、環状に延びる断面略矩形状の内部空間１０が配され、外側胴部７と内側胴部８とは、それぞれの上端が上壁部１１で接続されている。
また、キャップ本体２には、内側胴部８の内方に位置して、内容物の注出路１２を形成する円筒状の注出壁部１３が形成されており、この注出壁部１３の外周面と、内側胴部８の内周面との間には環状空間１５が形成されている。また、内側胴部８の内周面には、周方向に延びる係合突条１６が一条形成されており、内側胴部８と注出壁部１３とは、それぞれの上端が上壁部１８で接続されている。
そして、キャップ本体２の環状空間１５を容器５の口部６に嵌合させれば、キャップ本体２の内側胴部８に設けた係合突条１６が、口部６の外周面に設けた凹部１７を押圧して、キャップ本体２が口部６に緊密に嵌合される。
【００１６】
また、図２に示すように、内側胴部８と注出壁部１３のそれぞれの上端を繋ぐ上壁部１８には、円筒状の係合壁部２０が上方に突設されており、この係合壁部２０の外周面の上部には、周方向に延びる係合突条２１が一条形成されている。また、この係合壁部２０の内方には、内容物の注出方向を案内する円筒状の案内壁部２２が上方に突設されている。この案内壁部２２には、その下端開口を塞ぐ閉塞板部２３が環状溝部２４を介して一体に形成されている。この閉塞板部２３には、環状溝部２４に沿って切断して、注出路１２を開放するためのリング状の把持部２５が一体に形成されている。
【００１７】
さらに、図１、図３及び図４に示すように、キャップ本体２の外側胴部７で、その外周面の上端の所定位置には、第１被切断突起である第１小切片３０が第１弱化線３１、３１により接続されている。この第１小切片３０は、指で摘むことが可能な所定幅を有し、周方向に所定長さを有する平板状に形成されており、第１小切片３０の側部上端で、その長手方向両端の所定範囲において第１弱化線３１、３１がそれぞれ接続されている。各第１弱化線３１、３１は、容易に切断可能な薄膜状に形成されている。
【００１８】
蓋体３は、図２に示すように、有底円筒状に形成されると共に、裾部３２の内周面には、係合突条３３が一条形成されている。また、ヒンジ部４と反対側縁には、指掛け片３４が突出して形成されている。
さらに、図１、図３及び図４に示すように、蓋体３には、指掛け片３４の近傍の位置で、蓋体３が開いた状態における裾部３２の外周面の上端に、第２被切断突起である第２小切片３５が第２弱化線３６により接続されている。この第２小切片３５は、指で摘むことが可能な所定幅を有し、周方向に所定長さを有する平板状に形成されており、第２小切片３５の側部上端（蓋体３が開いた状態の場合）で、その長手方向略中央の所定範囲において第２弱化線３６が接続されている。第２弱化線３６は、容易に切断可能な薄膜状に形成されている。
【００１９】
また、図５及び図６に示すように、これら上述したキャップ本体２に設けた第１小切片３０と、蓋体３に設けた第２小切片３５とは、キャップ本体２に蓋体３が冠着されると、第１小切片３０と第２小切片３５とが上面視で全部位が重なるように、それぞれが配置されている。なお、第１小切片３０と第２小切片３５とは、少なくとも一部が重なるように配置されても良い。
【００２０】
また、図５に示すように、蓋体３をキャップ本体２に冠着した状態において、第１小切片３０と第２小切片３５とは、接着材による接着か、あるいは溶融接着で接合される。例えば、後者の接着方法としては、超音波接着などが適用される。
このように接合されたこれら第１小切片３０及び第２小切片３５は、図５に示すように、側面視形状が略矩形状の一枚の小切片３７となり、この小切片３７がキャップ１の外周面から突出した状態で位置しているので、破断されればひと目で解り、開栓履歴を確認するための確認突起として機能するようになる。
【００２１】
また、第１小切片３０と第２小切片３５とを接合するための他の実施の形態として、図６に示すように、蓋体３の第２小切片３５に、下端に膨出部４０を有する嵌合棒（接合手段）４１を複数下方に延設させ、一方、キャップ本体２の第１小切片３０には、膨出部４０の外径より小径の貫通孔（接合手段）４２を設けている。そして、第２小切片３５に設けた嵌合棒４１の膨出部４０を、第１小切片３０の貫通孔４２内に圧入するように挿通して、第１小切片３０の反対側面から突出させて嵌合すると共に、突出した膨出部４０を第１小切片３０に溶着して、第１小切片３０と第２小切片３５とを接合してもよい。
この実施の形態においては、第１小切片３０の接合手段を貫通孔４２として構成し、第２小切片３５の接合手段を嵌合棒４１として構成しているが、第１小切片３０と第２小切片３５とを容易に接合できれば、それぞれの接合手段を他の形態に構成しても良い。
また、このように構成することにより、第１小切片３０と第２小切片３５とを接合する際の接合作業が簡易化され、作業効率を向上させることができる。
【００２２】
そこで、図５に示すように、第１小切片３０と第２小切片３５とが接合されると、第１弱化線３１、３１と第２弱化線３６とは、上面視で重なることなく、周方向に延在するようになる。
【００２３】
そして、本発明の実施の形態に係るキャップ１を最初に開栓する際には、まず、キャップ１の外周面から突起されている開栓履歴確認用の小切片３７を指で把持すると共に、周方向に引っ張るようにして第１弱化線３１、３１及び第２弱化線３６を切断し、小切片３７をキャップ１から除去する。この時、第１弱化線３１、３１及び第２弱化線３６を切断する際の切断抵抗は略一定になる。
次に、蓋体３の指掛け片３４を持って起こすように反転させ、蓋体３を開いた状態とした後、把持部２５を上方に引っ張り閉塞板部２３を環状溝部２４に沿って切り取って除去すると共に、注出路１２を開放して、内容物を案内壁部２２に沿って吐出させる。その後、閉栓する時には、蓋体３を持って、ヒンジ部４を折りたたみながらキャップ本体２の上端に配置させて、蓋体３を、その裾部３２の内周面に設けた係合突条３３が、キャップ本体２の係合壁部２０の外周面に設けた係合突条２１を乗り越えるようにて押し込み、キャップ本体２に冠着する。
すると、この時点で、既に小切片３７は切り取られ除去されている状態であるので、このキャップ１は、既に開栓されてあることが視認でき、開栓履歴を簡単に判別することができる。
【００２４】
以上説明したように、本発明の実施の形態に係るキャップ１によれば、キャップ本体２の外周面に第１弱化線３１、３１を介して接続された第１小切片３０と、蓋体３の外周面に第２弱化線３６を介して接続された第２小切片３５とを離脱不可能に接合して開栓履歴確認用の小切片３７を設けており、キャップ１を最初に開栓する時には、この小切片３７を、第１弱化線３１、３１及び第２弱化線３６に沿って切り取り除去すれば、蓋体３を開くことができる。
このように、一度開栓された後は、キャップ１の外周面に設けた小切片３７が切り取られていることを視認することによって、開栓履歴を判別することが可能となる。
また、本発明の実施の形態に係るキャップ１では、第１小切片３０と第２小切片３５とは、接着材による接着で接合されるか、あるいは溶融接着で接合されているので、接合に対する信頼性が向上する。
【００２５】
さらに、本発明の実施の形態に係るキャップ１によれば、第１弱化線３１、３１と第２弱化線３６とは、第１小切片３０と第２小切片３５とが接合された状態において、上面視で重ならないように配置されているので、例外的に、第１弱化線３１、３１または第２弱化線３６が切断されて開栓され、外観上、あたかも未開封であるかのような状態が発生した場合でも、破断されていない第１弱化線３１、３１または第２弱化線３６の位置を視認すれば、簡単に開栓履歴を判別でき、さらに、目視せず、小切片３７を破断した場合でも、その切断抵抗が小切片３７に沿って一定ではないため、簡単に開栓履歴を判別することが可能となる。
【００２６】
なお、本発明の実施の形態に係るキャップ１では、第１小切片３０及び第２小切片３５が、それぞれ平板状に形成され、第１小切片３０及び第２小切片３５が接合してなる小切片３７の側面視形状は略矩形状に形成されているが、図７に示すように、小切片３７の側面視形状が、蝶の羽根が開いたような形状になるように、第１小切片３０及び第２小切片３５の形状を変更しても良い。このように構成すると、小切片３７は開栓履歴の確認用だけでなく、キャップ１のデザイン性が優れ、商品価値を向上させることができる。
【図面の簡単な説明】
【００２７】
【図１】図１は、本発明の実施の形態に係るキャップの蓋体が開いた状態の平面図でである。
【図２】図２は、図１のキャップで蓋体が開いた状態の断面図である。
【図３】図３は、図１のキャップで蓋体が開いた状態の底面図である。
【図４】図４は、図１のキャップで蓋体が開いた状態の側面図である。
【図５】図５は、図１のキャップで蓋体がキャップ本体に冠着された図で、（ａ）は平面図であり、（ｂ）は側面図である。
【図６】図６は、第１小切片と第２小切片とを接合する他の形態を示す図である。
【図７】図７は、確認突起の他の形態を示す側面図である。
【符号の説明】
【００２８】
１          キャップ
２          キャップ本体
３          蓋体
３０          第１小切片（第１被切断突起）
３１          第１弱化線
３５          第２小切片（第２被切断突起）
３６          第２弱化線
３７          小切片（確認突起）
４１          嵌合棒（接合手段）
４２          貫通孔（接合手段）
【図１】
2006131239.tif 000003
【図２】
2006131239.tif 000004
【図３】
2006131239.tif 000005
【図４】
2006131239.tif 000006
【図５】
2006131239.tif 000007
【図６】
2006131239.tif 000008
【図７】
2006131239.tif 000009